(57)【特許請求の範囲】
【請求項１】
原稿における主走査方向に沿う領域に異なる色の露光光を出射する３色の光源と、
前記３色の光源を予め設定された周期で１色ずつ順次点灯させる発光制御部と、
前記原稿および前記３色の光源の一方を移動させることにより、前記原稿に対して前記露光光を前記主走査方向に直交する副走査方向へ走査させる走査部と、
予め設定される動作モードの設定内容に応じて、前記走査部による前記露光光の走査速度を予め定められた標準走査速度と前記標準走査速度の２倍の倍走査速度との一方に設定する走査制御部と、
前記原稿における前記露光光が照射された露光領域内の前記主走査方向に沿う１ライン分の第１読取領域からの反射光を受光し、受光量に応じた第１画像データを出力する第１イメージセンサーと、
前記原稿の前記露光領域内における、前記第１読取領域に対し前記副走査方向の上流側の隣で前記主走査方向に沿う１ライン分の第２読取領域からの反射光を受光し、受光量に応じた第２画像データを出力する第２イメージセンサーと、
前記露光光が前記標準走査速度で走査される場合に、各色の前記露光光が前記原稿に照射されるごと得られる前記第２画像データと、同じ色の前記露光光が１回前に前記原稿に照射されたときに得られた前記第１画像データとを合成したデータを前記原稿からの読取データとして生成し、前記露光光が前記倍走査速度で走査される場合に、各色の前記露光光が前記原稿に照射されるごと得られる前記第１画像データおよび前記第２画像データを合成したデータを前記読取データとして生成する画像処理部と、を備え、
前記発光制御部は、前記露光光が前記標準走査速度で走査される場合に第１光源電力を前記３色の光源に供給し、前前記露光光が前記倍走査速度で走査される場合に第２光源電力を前記３色の光源に供給し、
前記第１光源電力は前記第２光源電力よりも低く、
前記画像処理部は、前記露光光が前記標準走査速度で走査される場合に、各色の前記露光光が前記原稿に照射されるごと得られる前記第２画像データと、同じ色の前記露光光が１回前に前記原稿に照射されたときに得られた前記第１画像データとを、それらの画素値を加算することによって合成し、前記露光光が前記倍走査速度で走査される場合に、各色の前記露光光が前記原稿に照射されるごと得られる前記第１画像データおよび前記第２画像データを、それらの画素値の平均化処理によって合成し、
画像読取装置。
【請求項２】
前記第１光源電力は、前前記露光光が前記倍走査速度で走査され、かつ、前記第２光源電力が前記３色の光源に供給される場合に得られる前記第２画像データの画素値の平均値が、前記露光光が前記標準走査速度で走査され、かつ、前記第１光源電力が前記３色の光源に供給される場合に得られる前記第１画像データの画素値の平均値の２分の１になるように予め調整された電力である、請求項１に記載の画像読取装置。
【請求項３】
請求項１または請求項２に記載の画像読取装置と、
前記画像読取装置により得られる前記読取データに対応する画像をシートに形成する画像形成装置と、を備える画像処理装置。
【発明の詳細な説明】
【技術分野】
【０００１】
本発明は、画像読取装置および画像処理装置に関する。
【背景技術】
【０００２】
原稿のカラー画像を読み取り可能な装置として、光源順次点灯式のカラー読取処理を実行する画像読取装置が知られている（例えば、特許文献１参照）。前記画像読取装置において、３色（ＲＧＢ）の光源が、原稿における主走査方向に沿う領域に露光光を１色ずつ順次照射する。
【０００３】
前記３色の光源の点滅と並行して、走査部が、前記原稿および前記３色の光源の一方を移動させることにより、前記原稿に対して前記露光光を主走査方向に直交する副走査方向へ走査させる。前記走査部は、前記原稿を搬送するＡＤＦ（Auto Document Feeder）または前記３色の光源を含む走査ユニットを前記原稿が載置されたプラテンガラスに沿って移動させる機構である。
【０００４】
さらに、１つのイメージセンサーが、前記原稿からの反射光の光量に応じた３色分の画像データをカラー画像データとして出力する。
【先行技術文献】
【特許文献】
【０００５】
【特許文献１】特開平１１−１２７３２号公報
【発明の概要】
【発明が解決しようとする課題】
【０００６】
ところで、前記カラー読取処理の時間の短縮のために、前記カラー読取処理の動作モードとして、低解像度モードの設定を可能にすることが考えられる。前記低解像度モードが設定された場合、前記露光光が、標準の走査速度の２倍の速度で前記原稿に走査される。これにより、前記副走査方向における読み取り画像の解像度が半分になるが、前記カラー読取処理の時間が半分に短縮される。
【０００７】
しかしながら、前記原稿の画像が前記主走査方向に沿う細線の画像を含む場合に、前記低解像度モードにおいて、３色のうちの１色について、前記細線の画像の読み取りの漏れが生じ得る。この場合、読み取り画像において、前記細線の画像が本来の色とは全く異なる色の画像として現れてしまう。
【０００８】
本発明の目的は、光源順次点灯式のカラー画像読取処理が、露光光が原稿に対して高速で走査される低解像度モードで実行された場合でも、主走査方向に沿う細線の画像の読み取り漏れを防止できる画像読取装置およびそれを備える画像処理装置を提供することにある。
【課題を解決するための手段】
【０００９】
本発明の一の局面に係る画像読取装置は、３色の光源と、発光制御部と、走査部と、走査制御部と、第１イメージセンサーと、第２イメージセンサーと、画像処理部とを備える。前記３色の光源は、原稿における主走査方向に沿う領域に異なる色の露光光を出射する。前記発光制御部は、前記３色の光源を予め設定された周期で１色ずつ順次点灯させる。前記走査部は、前記原稿および前記３色の光源の一方を移動させることにより、前記原稿に対して前記露光光を前記主走査方向に直交する副走査方向へ走査させる。前記走査制御部は、予め設定される動作モードの設定内容に応じて、前記走査部による前記露光光の走査速度を予め定められた標準走査速度と前記標準走査速度の２倍の倍走査速度との一方に設定する。前記第１イメージセンサーは、前記原稿における前記露光光が照射された露光領域内の前記主走査方向に沿う１ライン分の第１読取領域からの反射光を受光し、受光量に応じた第１画像データを出力する。前記第２イメージセンサーは、前記原稿の前記露光領域内における、前記第１読取領域に対し前記副走査方向の上流側の隣で前記主走査方向に沿う１ライン分の第２読取領域からの反射光を受光し、受光量に応じた第２画像データを出力する。前記画像処理部は、前記露光光が前記標準走査速度で走査される場合に、各色の前記露光光が前記原稿に照射されるごと得られる前記第２画像データと、同じ色の前記露光光が１回前に前記原稿に照射されたときに得られた前記第１画像データとを合成したデータを前記原稿からの読取データとして生成する。さらに、前記画像処理部は、前記露光光が前記倍走査速度で走査される場合に、各色の前記露光光が前記原稿に照射されるごと得られる前記第１画像データおよび前記第２画像データを合成したデータを前記読取データとして生成する。
【００１０】
本発明の他の局面に係る画像処理装置は、前記画像読取装置と、画像形成装置とを備える。前記画像形成装置は、前記画像読取装置により得られる前記読取データに対応する画像をシートに形成する装置である。
【発明の効果】
【００１１】
本発明によれば、光源順次点灯式のカラー画像読取処理が、露光光が原稿に対して高速で走査される低解像度モードで実行された場合でも、主走査方向に沿う細線の画像の読み取り漏れを防止できる画像読取装置およびそれを備える画像処理装置を提供することが可能になる。
【図面の簡単な説明】
【００１２】
【図１】図１は、実施形態に係る画像読取装置を含む画像処理装置の構成図である。
【図２】図２は、実施形態に係るイメージセンサーモジュールおよびその周辺部の構成図である。
【図３】図３は、実施形態に係る画像読取装置における制御関連部のブロック図である。
【図４】図４は、実施形態に係る画像読取装置における画像処理部のブロック図である。
【図５】図５は、実施形態に係る画像読取装置における２つのイメージセンサーの読取領域を示す図である。
【図６】図６は、実施形態に係る画像読取装置が標準解像度モードでカラー画像読取処理を行った場合におけるライン画像データと原稿画像の読み取り範囲との対応関係を表す図である。
【図７】図７は、実施形態に係る画像読取装置が低解像度モードでカラー画像読取処理を行った場合におけるライン画像データと原稿画像の読み取り範囲との対応関係を表す図である。
【図８】図８は、従来装置におけるイメージセンサーの読取領域を示す図である。
【図９】図９は、従来装置が標準解像度モードでカラー画像読取処理を行った場合におけるライン画像データと原稿画像の読み取り範囲との対応関係を表す図である。
【図１０】図１０は、参考例に係る画像読取装置が低解像度モードでカラー画像読取処理を行った場合におけるライン画像データと原稿画像の読み取り範囲との対応関係を表す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像処理装置１０の構成］
まず、図１，２を参照しつつ、実施形態に係る画像読取装置１を含む画像処理装置１０の構成について説明する。図１に示される画像処理装置１０は、画像読取装置１および画像形成装置２を備える複写機または複合機である。
【００１５】
画像処理装置１０は、画像読取装置１および画像形成装置２に共通の制御部８および操作表示部８０なども備える。
【００１６】
［画像読取装置１の概要］
画像読取装置１は、原稿９０から画像を読み取る画像読取処理を実行する装置である。画像読取装置１は、原稿９０のカラー画像を読み取るカラー画像読取処理を実行可能である。画像読取装置１は、画像形成装置２の上方に配置されている。
【００１７】
画像読取装置１は、画像読取部１１およびカバー部１２を備える。画像読取部１１は、イメージセンサーモジュール１３、光学系移動機構１１０、プラテンガラス１６およびコンタクトガラス板１６０などを含む。コンタクトガラス板１６０は、固定読取位置Ｑ０に配置されている。
【００１８】
イメージセンサーモジュール１３は、光学系移動機構１１０によって移動可能に支持されている。光学系移動機構１１０は、イメージセンサーモジュール１３を、コンタクトガラス板１６０に対向する位置からプラテンガラス１６に対向する位置に亘って移動可能に支持する。
【００１９】
イメージセンサーモジュール１３は、原稿９０における主走査方向Ｒ１に沿う領域に赤、緑および青の３色の露光光を出射し、原稿９０からの反射光の光量に応じた画素値を含む画像データを出力する。図１，２において、主走査方向Ｒ１は紙面に直交する方向である。
【００２０】
図２に示されるように、イメージセンサーモジュール１３は、原稿９０における主走査方向Ｒ１に沿う領域に異なる色の前記露光光を出射する３色光源１３１を備える。３色光源１３１は、赤光源１３１Ｒ、緑光源１３１Ｇおよび青光源１３１Ｂを含む。
【００２１】
イメージセンサーモジュール１３は、３色の光源１３１Ｒ，１３１Ｇ，１３１Ｂとレンズ１３２とイメージセンサー１３３とが一体に形成されたＣＩＳ（Contact Image Sensor）モジュールである。この場合、イメージセンサー１３３はＣＭＯＳ（Complementary Metal Oxide Semiconductor）イメージセンサーである。
【００２２】
光学系移動機構１１０は、イメージセンサーモジュール１３をプラテンガラス１６に沿って移動させることにより、プラテンガラス１６上の原稿９０に対して前記露光光を副走査方向Ｒ２へ走査させる。なお、副走査方向Ｒ２は、主走査方向Ｒ１に直交する方向である。
【００２３】
なお、光学系移動機構１１０は、３色光源１３１を移動させることにより、原稿９０に対して前記露光光を副走査方向Ｒ２へ走査させる走査部の一例である。
【００２４】
画像読取装置１が、イメージセンサー１３３としてＣＣＤ（Charge Coupled Device）イメージセンサーを備えることも考えられる。この場合、３色の光源１３１Ｒ，１３１Ｇ，１３１Ｂが光学系移動機構１１０によって移動可能に支持され、前記ＣＣＤイメージセンサーは画像読取装置１の本体部に固定される。そして、原稿９０からの反射光が、反射ミラーによって前記ＣＣＤイメージセンサーへ導かれる。
【００２５】
カバー部１２は、プラテンガラス１６およびコンタクトガラス板１６０の上を覆う閉位置からプラテンガラス１６およびコンタクトガラス板１６０の上を開放する開位置の範囲で、画像読取部１１に対して回動可能に支持されている。
【００２６】
カバー部１２は、ＡＤＦ１２０と一体に構成されている。ＡＤＦ１２０は、原稿供給トレイ１２１に載置された原稿９０を１枚ずつピックアップローラー１２２によって原稿搬送路１２００へ送り出す。さらに、ＡＤＦ１２０は、搬送ローラー１２３によって原稿９０を原稿搬送路１２００に沿って搬送し、さらに、原稿排出トレイ１２４へ排出する。
【００２７】
固定読取位置Ｑ０は、原稿搬送路１２００の一部である。ＡＤＦ１２０が原稿９０を搬送する場合に、イメージセンサーモジュール１３は、固定読取位置Ｑ０を通過する原稿９０に対して３色の前記露光光を順次照射する。これにより、前記露光光が、原稿９０に対し、原稿９０の搬送方向の反対方向へ走査される。ＡＤＦ１２０が用いられる場合、固定読取位置Ｑ０における原稿９０の搬送方向の反対方向が副走査方向Ｒ２である。
【００２８】
なお、ＡＤＦ１２０は、原稿９０を移動させることにより、原稿９０に対して前記露光光を副走査方向Ｒ２へ走査させる走査部の他の一例である。
【００２９】
操作表示部８０は、情報の入力操作を受け付ける操作部および情報を表示する表示部を含むユーザーインターフェイスである。例えば、前記操作部がタッチパネルであること、および、前記表示部が、表面に前記タッチパネルが形成された表示パネルであることが考えられる。
【００３０】
制御部８は、操作表示部８０を通じて入力される入力情報および各種センサーの検出結果に基づいて、画像処理装置１０が備える各種の電気機器を制御する。
【００３１】
前記カラー画像読取処理が行われる場合、制御部８は、３色光源１３１における赤光源１３１Ｒ，緑光源１３１Ｇおよび青光源１３１Ｂを、予め設定された周期で１色ずつ順次点灯させる。これにより、イメージセンサー１３３は、３色分の単色画像データを順次出力する。
【００３２】
［画像形成装置２］
画像形成装置２は、画像データに対応する画像をシート９に形成する装置である。
【００３３】
画像形成装置２は、コピージョブを実行する場合、前記画像読取処理により得られる読取データＤｘ０に基づく画像をシート９に形成する。また、画像形成装置２は、不図示の端末から受信した印刷ジョブを実行する場合、前記印刷ジョブに基づく画像をシート９に形成する。
【００３４】
画像形成装置２において、シート搬送部３が、カセットまたはトレイにセットされたシート９を装置内の搬送路３０に沿って搬送する。さらに、画像形成部４が、搬送路３０を移動中のシート９に対して画像を形成する。
【００３５】
図１に示される例において、画像形成部４は、電子写真方式の画像形成処理を実行する。この場合、定着部５が、シート９に形成されたトナー像を加熱することにより、前記トナー像をシート９に定着させる。なお、画像形成部４が、インクジェット方式などの他の方式で前記画像形成処理を行うことも考えられる。
【００３６】
ところで、前記カラー読取処理の時間の短縮のために、前記カラー読取処理の動作モードとして、低解像度モードの設定を可能にすることが考えられる。前記低解像度モードが設定された場合、前記露光光が、標準の走査速度の２倍の速度で原稿９０に走査される。これにより、副走査方向Ｒ２における読み取り画像の解像度が半分になるが、前記カラー読取処理の時間が半分に短縮される。
【００３７】
例えば、前記低解像度モードにおいて、ＡＤＦ１２０が、原稿９０を標準搬送速度の２倍の速度で搬送する。或いは、前記低解像度モードにおいて、光学系移動機構１１０が、イメージセンサーモジュール１３を標準移動速度の２倍の速度で移動させる。これらにより、前記露光光が、標準の速度の２倍の速度で原稿９０に走査される。
【００３８】
しかしながら、原稿９０の画像が主走査方向Ｒ１に沿う細線画像ｇ０を含む場合に、前記低解像度モードにおいて、３色のうちの１色について、細線画像ｇ０の読み取りの漏れが生じ得る（図１０参照）。この場合、読み取り画像において、細線画像ｇ０が本来の色とは全く異なる色の画像として現れてしまう。
【００３９】
以下の説明において、従来の画像形成装置のことを従来装置と称する。また、前記標準解像度モードの解像度に対応する副走査方向Ｒ２の画素のピッチのことを標準カラーラインピッチＰ１と称する。また、副走査方向Ｒ２における標準カラーラインピッチＰ１の３分の１のピッチのことを標準単色ラインピッチＰ０と称する。
【００４０】
また、原稿９０の領域における標準カラーラインピッチＰ１で区分された複数の部分領域各々のことを標準カラーライン領域Ｌ１と称する。
【００４１】
また、各色の前記露光光が原稿９０に照射されるごとに得られる主走査方向Ｒ１の１ライン分の画像データのことを単色ライン画像データＤ１，Ｄ２，Ｄ３と称する。単色ライン画像データＤ１，Ｄ２，Ｄ３の１つは赤ライン画像データＤ１であり、他の１つは緑ライン画像データＤ２であり、残りの１つは青ライン画像データＤ３である。
【００４２】
標準単色ラインピッチＰ０は、前記標準解像度モードでの前記カラー画像読取処理において、１色の前記露光光が原稿９０に照射されている間における原稿９０と３色光源１３１とが副走査方向Ｒ２において相対移動する距離である。
【００４３】
例えば、カラー画像の読み取り解像度が６００ｄｐｉである場合、標準カラーラインピッチＰ１は６００分の１インチであり、標準単色ラインピッチＰ０は１８００分の１インチである。
【００４４】
なお、図１０において、２倍カラーラインピッチＰ２および２倍カラーライン領域Ｌ２が示されている。２倍カラーラインピッチＰ２は、前記低解像度モードの解像度に対応する副走査方向Ｒ２の画素のピッチである。２倍カラーラインピッチＰ２は、標準カラーラインピッチＰ１の２倍である。また、２倍カラーライン領域Ｌ２は、原稿９０の領域における２倍カラーラインピッチＰ２で区分された複数の部分領域各々である。
【００４５】
図８に示されるように、一般に、原稿９０と原稿９０に照射される前記露光光とが副走査方向Ｒ２に相対移動していない状態において、１つのイメージセンサー１３３の原稿９０上での読取領域Ａ０の副走査方向Ｒ２の幅は、標準単色ラインピッチＰ０よりも大きく、標準カラーラインピッチＰ１よりも小さい。
【００４６】
図９，１０において、両矢印付きの太線で示される範囲は、図９に示される読取領域Ａ０の特性を有する前記イメージセンサーを通じて得られる単色ライン画像データＤ１，Ｄ２，Ｄ３に対応する副走査方向Ｒ２における原稿９０の走査範囲である。
【００４７】
図９に示されるように、前記標準解像度モードで前記カラー画像読取処理が行われた場合、原稿９０の全領域の画像情報が、赤ライン画像データＤ１、緑ライン画像データＤ２および青ライン画像データＤ３のそれぞれに含まれる。
【００４８】
従って、原稿９０の画像に主走査方向Ｒ１に沿う細線画像ｇ０が含まれる場合でも、赤ライン画像データＤ１、緑ライン画像データＤ２および青ライン画像データＤ３のそれぞれは、その細線画像ｇ０の情報を含む。
【００４９】
一方、図１０に示されるように、前記低解像度モードで前記カラー画像読取処理が行われた場合、赤ライン画像データＤ１、緑ライン画像データＤ２および青ライン画像データＤ３のそれぞれは、原稿９０の一部の領域の画像情報を含まない。
【００５０】
従って、原稿９０の画像に主走査方向Ｒ１に沿う細線画像ｇ０が含まれる場合、赤ライン画像データＤ１、緑ライン画像データＤ２および青ライン画像データＤ３のうちの１つが、その細線画像ｇ０の情報を含まない事態が生じる。
【００５１】
図１０に示される例では、青ライン画像データＤ３が、細線画像ｇ０の情報を含まない。そのため、細線画像ｇ０が青色の成分を含む色の画像である場合、細線画像ｇ０が、本来の色とは全く異なる色の画像として現れてしまう。
【００５２】
一方、画像読取装置１が採用されれば、光源順次点灯式の前記カラー画像読取処理が、前記露光光が原稿９０に対して高速で走査される前記低解像度モードで実行された場合でも、主走査方向Ｒ１に沿う細線画像ｇ０の読み取り漏れを防止できる。
【００５３】
［画像読取装置１の詳細］
図２に示されるように、画像読取装置１において、イメージセンサーモジュール１３は、副走査方向Ｒ２に並んで配置された第１イメージセンサー１３３ａおよび第２イメージセンサー１３３ｂを備える。以下の説明において、原稿９０における前記露光光が照射される領域のことを露光領域ＡＬ０と称する。
【００５４】
第１イメージセンサー１３３ａは、原稿９０における露光領域ＡＬ０内の主走査方向Ｒ１に沿う１ライン分の第１読取領域Ａ１からの反射光を受光し、受光量に応じた単色ライン画像データＤ１，Ｄ２，Ｄ３を出力するイメージセンサーである（図２，５参照）。
【００５５】
第２イメージセンサー１３３ｂは、原稿９０の露光領域ＡＬ０内における、主走査方向Ｒ１に沿う１ライン分の第２読取領域Ａ２からの反射光を受光し、受光量に応じた単色ライン画像データＤ１，Ｄ２，Ｄ３を出力するイメージセンサーである（図２，５参照）。第２読取領域Ａ２は、第１読取領域Ａ１に対し副走査方向Ｒ２の上流側の隣の１ライン分の領域である。
【００５６】
図２は、イメージセンサーモジュール１３が固定され、原稿９０がＡＤＦ１２０によって紙面に向かって右方向へ搬送される場合における第１イメージセンサー１３３ａおよび第２イメージセンサー１３３ｂの位置関係を示す。この場合、図２の紙面に向かって左方向が、副走査方向Ｒ２である。
【００５７】
一方、原稿９０がコンタクトガラス板１６０上に載置され、イメージセンサーモジュール１３が図２の紙面に向かって右方向へ移動する場合がある。この場合、イメージセンサーモジュール１３の移動方向が副走査方向Ｒ２であるため、図２における第１イメージセンサー１３３ａおよび第２イメージセンサー１３３ｂの左右の位置関係が入れ替わる。即ち、イメージセンサーモジュール１３が図２の紙面に向かって右方向へ移動する場合、前記カラー読取処理は、紙面に向かって右側のセンサーを第１イメージセンサー１３３ａとして、紙面に向かって左側のセンサーを第２イメージセンサー１３３ａとして実行される。
【００５８】
図５に示されるように、第１読取領域Ａ１および第２読取領域Ａ２各々の副走査方向Ｒ２の幅は、標準単色ラインピッチＰ０よりも大きく、標準カラーラインピッチＰ１よりも小さい。図５に示される例では、第１読取領域Ａ１および第２読取領域Ａ２各々の副走査方向Ｒ２の幅は、標準単色ラインピッチＰ０の２倍である。
【００５９】
なお、第１読取領域Ａ１および第２読取領域Ａ２各々の副走査方向Ｒ２の幅が、標準単色ラインピッチＰ０の２倍以上、かつ、標準カラーラインピッチＰ１よりも小さいことが考えられる。
【００６０】
図２は、ＡＤＦ１２０が動作する場合、即ち、副走査方向Ｒ２が原稿９０の搬送方向の逆方向である場合の例である。本実施形態において、ＡＤＦ１２０が動作する場合の副走査方向Ｒ２と光学系移動機構１１０が動作する場合の副走査方向Ｒ２とは、イメージセンサーモジュール１３から見て逆の方向である。
【００６１】
従って、光学系移動機構１１０が動作する場合、第１イメージセンサー１３３ａおよび第２イメージセンサー１３３ｂの位置関係は、図２に示される位置関係とは逆である。即ち、光学系移動機構１１０が動作する場合、図２に向かって左側のイメージセンサーが第１イメージセンサー１３３ａであり、右側のイメージセンサーが第２イメージセンサー１３３ｂである。
【００６２】
以下の説明において、第１イメージセンサー１３３ａが出力する単色ライン画像データＤ１，Ｄ２，Ｄ３のことを第１単色ライン画像データＤａ１，Ｄａ２，Ｄａ３と称する。同様に、第２イメージセンサー１３３ｂが出力する単色ライン画像データＤ１，Ｄ２，Ｄ３のことを第２単色ライン画像データＤｂ１，Ｄｂ２，Ｄｂ３と称する。
【００６３】
なお、第１単色ライン画像データＤａ１，Ｄａ２，Ｄａ３が、第１イメージセンサー１３３ａが出力する第１画像データに相当し、第２単色ライン画像データＤｂ１，Ｄｂ２，Ｄｂ３が、第２イメージセンサー１３３ｂが出力する第２画像データに相当する。
【００６４】
第１イメージセンサー１３３ａおよび第２イメージセンサー１３３ｂは同じセンサーである。従って、第１イメージセンサー１３３ａおよび第２イメージセンサー１３３ｂの主走査方向Ｒ１における画像読み取りの解像度は同じである。即ち、第１イメージセンサー１３３ａにおける主走査方向Ｒ１の画素ピッチと、第２イメージセンサー１３３ｂにおける主走査方向Ｒ１の画素ピッチとは同じである。
【００６５】
副走査方向Ｒ２における第１イメージセンサー１３３ａおよび第２イメージセンサー１３３ｂの配置のピッチは、第１イメージセンサー１３３ａおよび第２イメージセンサー１３３ｂにおける主走査方向Ｒ１の画素ピッチと同じである。例えば、第１イメージセンサー１３３ａおよび第２イメージセンサー１３３ｂの主走査方向Ｒ１の解像度が６００ｄｐｉである場合、第１イメージセンサー１３３ａおよび第２イメージセンサー１３３ｂのピッチは６００分の１インチである。
【００６６】
従って、図５に示されるように、原稿９０上における第１イメージセンサーの読取領域である第１読取領域Ａ１と第２イメージセンサーの読取領域である第２読取領域Ａ２との副走査方向Ｒ２におけるピッチは、標準カラーラインピッチＰ１と同じである。
【００６７】
図３に示されるように、制御部８は、ＵＩ制御部８１、走査制御部８２、発光制御部８３、イメージセンサー制御部８４、画像処理部８５、画像形成制御部８６およびＡＦＥ（Analog Front End）８７などを含む。
【００６８】
例えば、制御部８が、不図示の不揮発性かつコンピューター読取可能な記憶部に記憶されたプログラムを実行するＭＰＵ（Micro Processor Unit）およびＲＡＭ（Random Access Memory）などを備えることが考えられる。また、制御部８が、前記ＭＰＵ、ＡＳＩＣ（Application Specific Integrated Circuit）およびＤＳＰ（Digital Signal Processor）のうちの１つまたは複数の組合せにより構成されることも考えられる。
【００６９】
ＵＩ制御部８１は、操作表示部８０の前記表示部に動作モードの選択メニュー画面を出力する。さらに、ＵＩ制御部８１は、前記操作部に対する前記選択メニュー画面に対応する選択操作に従って、前記標準解像度モードおよび前記低解像度モードの一方を、前記カラー読取処理の動作モードとして設定する。なお、前記動作モードの初期状態は前記標準解像度モードである。
【００７０】
走査制御部８２は、光学系移動機構１１０およびＡＤＦ１２０を制御する。例えば、前記標準解像度モードが設定された状態で、予め定められた第１読取開始イベントが発生した場合に、走査制御部８２は、ＡＤＦ１２０に対し、標準原稿搬送処理を実行させる。前記標準原稿搬送処理は、前記標準搬送速度で原稿９０を搬送する処理である。
【００７１】
例えば、前記第１読取開始イベントは、原稿供給トレイ１２１に原稿９０が載置されていることが不図示の原稿センサーによって検知されている状態で、ＵＩ制御部８１の前記操作部に対して予め定められた読取開始操作が行われたことである。
【００７２】
一方、前記低解像度モードが設定された状態で、前記第１読取開始イベントが発生した場合に、走査制御部８２は、ＡＤＦ１２０に対し、倍速原稿搬送処理を実行させる。前記倍速原稿搬送処理は、前記標準搬送速度の２倍の速度で原稿９０を搬送する処理である。
【００７３】
また、走査制御部８２は、前記標準解像度モードが設定された状態で、予め定められた第２読取開始イベントが発生した場合に、走査制御部８２は、光学系移動機構１１０に対し、標準光学系移動処理を実行させる。前記標準光学系移動処理は、予め定められた標準移動速度でイメージセンサーモジュール１３を副走査方向Ｒ２へ移動させる処理である。
【００７４】
例えば、前記第２読取開始イベントは、原稿供給トレイ１２１に原稿９０が載置されていないことが前記原稿センサーによって検知されている状態で、ＵＩ制御部８１の前記操作部に対して前記読取開始操作が行われたことである。
【００７５】
一方、前記低解像度モードが設定された状態で、前記第２読取開始イベントが発生した場合に、走査制御部８２は、光学系移動機構１１０に対し、倍速光学系移動処理を実行させる。前記倍速光学系移動処理は、前記標準移動速度の２倍の速度でイメージセンサーモジュール１３を副走査方向Ｒ２へ移動させる処理である。
【００７６】
前記標準搬送速度および前記標準移動速度は、ライン周期ごとに標準カラーラインピッチＰ１の３分の１の長さ分だけ進む速度である。前記ライン周期は、第１イメージセンサー１３３ａおよび第２イメージセンサー１３３ｂがそれぞれ単色ライン画像データＤ１，Ｄ２，Ｄ３の１つを出力する周期である。
【００７７】
以下の説明において、前記標準解像度モードにおける原稿９０に対する前記露光光の走査速度のことを標準走査速度と称する。前記標準走査速度は、前記標準搬送速度および前記標準移動速度と同じ速度である。但し、前記標準搬送速度の方向は、前記標準走査速度の方向と逆の方向であり、前記標準移動速度の方向は、前記標準走査速度の方向と同じ方向である。
【００７８】
以上に示されるように、走査制御部８２は、予め設定される前記動作モードの設定内容に応じて、ＡＤＦ１２０および光学系移動機構１１０による前記露光光の走査速度を予め定められた前記標準走査速度と前記標準走査速度の２倍の倍走査速度との一方に設定する。
【００７９】
従って、前記標準解像度モードにおいて、前記露光光が前記標準走査速度で走査される。一方、前記低解像度モードにおいて、前記露光光が前記倍走査速度で走査される。
【００８０】
発光制御部８３は、３色光源１３１における各色の光源１３１Ｒ，１３１Ｇ，１３１Ｂを予め設定された前記ライン周期で１色ずつ順次点灯させる。前記ライン周期は、前記標準解像度モードおよび前記低解像度モードの両方において同じである。
【００８１】
イメージセンサー制御部８４は、前記ライン周期で第１イメージセンサー１３３ａおよび第２イメージセンサー１３３ｂに対して駆動信号を出力する。第１イメージセンサー１３３ａおよび第２イメージセンサー１３３ｂは、前記駆動信号を受信するごとに、原稿９０からの反射光を受光し、第１単色ライン画像データＤａ１，Ｄａ２，Ｄａ３および第２単色ライン画像データＤｂ１，Ｄｂ２，Ｄｂ３を順次出力する。
【００８２】
ＡＦＥ８７は、第１イメージセンサー１３３ａおよび第２イメージセンサー１３３ｂから出力されるアナログの第１単色ライン画像データＤａ１，Ｄａ２，Ｄａ３および第２単色ライン画像データＤｂ１，Ｄｂ２，Ｄｂ３をデジタルデータへ変換する。
【００８３】
画像処理部８５は、デジタル化された第１単色ライン画像データＤａ１，Ｄａ２，Ｄａ３および第２単色ライン画像データＤｂ１，Ｄｂ２，Ｄｂ３を合成し、合成データを読取単色ラインデータＤｘ１，Ｄｘ２，Ｄｘ３として生成する。３色の読取単色ラインデータＤｘ１，Ｄｘ２，Ｄｘ３を併せたデータが、原稿９０から読み取られたカラー画像を表す読取データＤｘ０である。
【００８４】
［画像処理部８５の構成の具体例］
次に、図４を参照しつつ、画像処理部８５の構成の具体例について説明する。図４に示される画像処理部８５は、遅延処理部８５１、データ選択部８５２およびデータ合成部８５３を含む。
【００８５】
遅延処理部８５１は、各色の前記露光光が照射されるごとに第１イメージセンサー１３３ａからＡＦＥ８７を通じて供給される第１単色ライン画像データＤａ１，Ｄａ２，Ｄａ３を前記ライン周期の３倍の時間遅延させて出力する遅延処理を実行する。
【００８６】
データ選択部８５２は、前記動作モードを表すモード信号Ｍｄ０に応じて、入力される２つのデータの一方を選択して出力する。例えば、モード信号Ｍｄ０は、ＵＩ制御部８１から画像処理部８５へ伝送される。また、モード信号Ｍｄ０が、ＵＩ制御部８１から走査制御部８２を介して画像処理部８５へ伝送されることも考えられる。
【００８７】
モード信号Ｍｄ０が前記標準解像度モードの状態である場合、データ選択部８５２は、遅延処理部８５１を経た第１単色ライン画像データＤａ１，Ｄａ２，Ｄａ３を選択して出力する。また、モード信号Ｍｄ０が前記低解像度モードの状態である場合、データ選択部８５２は、遅延処理部８５１を経ない第１単色ライン画像データＤａ１，Ｄａ２，Ｄａ３を選択して出力する。
【００８８】
データ合成部８５３は、各色の前記露光光が照射されるごとに合成処理を実行する。前記合成処理は、データ選択部８５２から出力される第１単色ライン画像データＤａ１，Ｄａ２，Ｄａ３と、第２イメージセンサー１３３ｂからＡＦＥ８７を通じて供給される第２単色ライン画像データＤｂ１，Ｄｂ２，Ｄｂ３とを合成する処理である。
【００８９】
データ合成部８５３は、前記合成処理を実行することにより、読取単色ラインデータＤｘ１，Ｄｘ２，Ｄｘ３を生成する。例えば、データ合成部８５３は、第１単色ライン画像データＤａ１，Ｄａ２，Ｄａ３および第２単色ライン画像データＤｂ１，Ｄｂ２，Ｄｂ３を、それらの画素値の平均化処理によって合成する。
【００９０】
なお、画像処理部８５が、読取データＤｘ０に対して各種の画像処理を実行するその他のデータ処理部を含むことも考えられる。例えば、前記その他のデータ処理部が、読取データＤｘ０に対して周知の画像回転処理、グレースケール変換処理およびコントラスト強調処理などを行うことが考えられる。
【００９１】
以下、前記標準解像度モードおよび前記低解像度モードの各々における、図４に示される画像処理部８５によるデータ処理の詳細について説明する。
【００９２】
図６に示されるように、前記標準解像度モードで前記カラー画像読取処理が行われる場合、各色の前記露光光が原稿９０に照射されるごと得られる第２単色ライン画像データＤｂ１，Ｄｂ２，Ｄｂ３と、同じ色の前記露光光が１回前に原稿９０に照射されたときに得られた第１単色ライン画像データＤａ１，Ｄａ２，Ｄａ３とは、原稿９０における同じ領域から読み取られた画像のデータである。
【００９３】
図６において、３色の前記露光光がｉサイクル目に照射されたときに得られる第２単色ライン画像データＤｂ１(ｉ)，Ｄｂ２(ｉ)，Ｄｂ３(ｉ)と、３色の前記露光光が（ｉ−１）サイクル目に照射されたときに得られる第１単色ライン画像データＤａ１(ｉ−１)，Ｄａ２(ｉ−１)，Ｄａ３(ｉ−１)とは、原稿９０における同じ領域から読み取られた画像のデータである。
【００９４】
従って、前記標準解像度モードで前記カラー画像読取処理が行われる場合、画像処理部８５は、以下に示される第１合成データを読取単色ラインデータＤｘ１，Ｄｘ２，Ｄｘ３として生成する。
【００９５】
前記第１合成データは、各色の前記露光光が原稿９０に照射されるごと得られる第２単色ライン画像データＤｂ１，Ｄｂ２，Ｄｂ３と、同じ色の前記露光光が１回前に原稿９０に照射されたときに得られた第１単色ライン画像データＤａ１，Ｄａ２，Ｄａ３とを合成したデータである。
【００９６】
図４に示されるように、１回前の第１単色ライン画像データＤａ１，Ｄａ２，Ｄａ３は、ＡＦＥ８７から遅延処理部８５１およびデータ選択部８５２を通じてデータ合成部８５３へ供給される。また、第２単色ライン画像データＤｂ１，Ｄｂ２，Ｄｂ３は、ＡＦＥ８７からデータ合成部８５３へ供給される。
【００９７】
例えば、画像処理部８５において、データ合成部８５３は、第２赤ライン画像データＤｂ１が得られるごとに、その第２赤ライン画像データＤｂ１における各画素値と、１回前に得られた第１赤ライン画像データＤａ１の各画素値との平均値を、１つの読取赤ラインデータＤｘ１の各画素値として算出する。
【００９８】
同様に、データ合成部８５３は、第２緑ライン画像データＤｂ２が得られるごとに、その第２緑ライン画像データＤｂ２における各画素値と、１回前に得られた第１緑ライン画像データＤａ２の各画素値との平均値を、読取緑ラインデータＤｘ２の各画素値として算出する。
【００９９】
同様に、データ合成部８５３は、第２青ライン画像データＤｂ３が得られるごとに、その第２青ライン画像データＤｂ３における各画素値と、１回前に得られた第１青ライン画像データＤａ３の各画素値との平均値を、読取青ラインデータＤｘ３の各画素値として算出する。
【０１００】
図６は、３色の前記露光光がｉサイクル目に照射されたときに得られる第２単色ライン画像データＤｂ１(ｉ)，Ｄｂ２(ｉ)，Ｄｂ３(ｉ)と、３色の前記露光光が（ｉ−１）サイクル目に照射されたときに得られる第２単色ライン画像データＤｂ１(ｉ−１)，Ｄｂ２(ｉ−１)，Ｄｂ３(ｉ−１)とが合成され、これにより読取単色ラインデータＤｘ１，Ｄｘ２，Ｄｘ３が生成されることを示している。
【０１０１】
一方、図７に示されるように、前記低解像度モードで前記カラー画像読取処理が行われる場合、各色の前記露光光が原稿９０に照射されるごとの走査領域である２倍カラーライン領域Ｌ２の幅は、標準カラーライン領域Ｌ１の幅の２倍となる。
【０１０２】
そして、前記低解像度モードにおいて、各色の前記露光光が原稿９０に照射されるごとに並行して得られる第１単色ライン画像データＤａ１，Ｄａ２，Ｄａ３および第２単色ライン画像データＤｂ１，Ｄｂ２，Ｄｂ３の両方を併せたデータが、１つの２倍カラーライン領域Ｌ２全体の画像情報を漏れなく含む。
【０１０３】
従って、前記低解像度モードで前記カラー画像読取処理が行われる場合、画像処理部８５は、以下に示される第２合成データを読取単色ラインデータＤｘ１，Ｄｘ２，Ｄｘ３として生成する。
【０１０４】
前記第２合成データは、各色の前記露光光が原稿９０に照射されるごと得られる第１単色ライン画像データＤａ１，Ｄａ２，Ｄａ３および第２単色ライン画像データＤｂ１，Ｄｂ２，Ｄｂ３を合成したデータである。
【０１０５】
図４に示されるように、第１単色ライン画像データＤａ１，Ｄａ２，Ｄａ３は、ＡＦＥ８７からデータ選択部８５２を通じてデータ合成部８５３へ供給される。また、第２単色ライン画像データＤｂ１，Ｄｂ２，Ｄｂ３は、ＡＦＥ８７からデータ合成部８５３へ供給される。
【０１０６】
例えば、画像処理部８５のデータ合成部８５３は、第１赤ライン画像データＤａ１および第２赤ライン画像データＤｂ１が得られるごとに、それらの各画素値の平均値を、読取赤ラインデータＤｘ１の各画素値として算出する。
【０１０７】
同様に、データ合成部８５３は、第１緑ライン画像データＤａ２および第２緑ライン画像データＤｂ２が得られるごとに、それらの各画素値の平均値を、読取緑ラインデータＤｘ２の各画素値として算出する。
【０１０８】
同様に、データ合成部８５３は、第１青ライン画像データＤａ３および第２青ライン画像データＤｂ３が得られるごとに、それらの各画素値の平均値を、読取青ラインデータＤｘ３の各画素値として算出する。
【０１０９】
図７は、３色の前記露光光がｉサイクル目に照射されたときに得られる第１単色ライン画像データＤａ１(ｉ)，Ｄｂａ(ｉ)，Ｄｂａ(ｉ)と第２単色ライン画像データＤｂ１(ｉ)，Ｄｂ２(ｉ)，Ｄｂ３(ｉ)とが合成され、これにより読取単色ラインデータＤｘ１，Ｄｘ２，Ｄｘ３が生成されることを示している。
【０１１０】
前述したように、画像処理部８５により得られる３色の読取単色ラインデータＤｘ１，Ｄｘ２，Ｄｘ３を併せたデータが、原稿９０のカラー画像を表す読取データＤｘ０である。
【０１１１】
画像形成制御部８６は、画像形成部４に対し、読取データＤｘ０に対応する画像をシート９に形成する画像形成処理を実行させる。
【０１１２】
本実施形態によれば、前記標準解像度モードおよび前記低解像度モードの両方において、読取単色ラインデータＤｘ１，Ｄｘ２，Ｄｘ３が、それに対応する標準カラーライン領域Ｌ１または２倍カラーライン領域Ｌ２の全体の画像情報を漏れなく含む。
【０１１３】
従って、光源順次点灯式の前記カラー画像読取処理が前記標準解像度モードおよび前記低解像度モードのいずれで実行された場合でも、主走査方向Ｒ１に沿う細線画像ｇ０の読み取り漏れを防止できる。
【０１１４】
［応用例］
前述したように、前記動作モードが前記標準解像度モードである場合、第２単色ライン画像データＤｂ１，Ｄｂ２，Ｄｂ３と、１回前の第１単色ライン画像データＤａ１，Ｄａ２，Ｄａ３とは、原稿９０における同じ領域から読み取られた画像のデータである（図６参照）。
【０１１５】
従って、前記動作モードが前記標準解像度モードである場合、第１イメージセンサー１３３ａおよび第２イメージセンサー１３３ｂを併せたセンサーの感度が、一方のセンサーの感度の２倍となる。
【０１１６】
そこで、発光制御部８３が、前記動作モードが前記標準解像度モードである場合に、前記動作モードが前記低解像度モードである場合よりも、３色光源１３１を低い輝度で点灯させることが考えられる。３色光源１３１の輝度は、３色光源１３１に供給される電力によって調整される。
【０１１７】
本応用例において、画像処理部８５のデータ合成部８５３は、前記動作モードが前記標準解像度モードである場合に、画素値の加算による合成処理を実行する。即ち、データ合成部８５３は、各色の前記露光光が原稿９０に照射されるごと得られる前記第２画像データと、同じ色の前記露光光が１回前に前記原稿に照射されたときに得られた前記第１画像データとを、それらの画素値を加算することによって合成する。
【０１１８】
ここで、前記標準解像度モードにおいて３色光源１３１に供給される電力を第１光源電力と称し、前記低解像度モードにおいて３色光源１３１に供給される電力を第２光源電力と称する。前記第１光源電力は、予め光源電力調整処理によって調整される。
【０１１９】
例えば、前記光源電力調整処理において、まず、前記第２光源電力が３色光源１３１に供給される状態で得られる第１単色ライン画像データＤａ１，Ｄａ２，Ｄａ３および第２単色ライン画像データＤｂ１，Ｄｂ２，Ｄｂ３の画素値の平均値である第１平均画素値が算出される。
【０１２０】
さらに、前記光源電力調整処理において、前記第２光源電力よりも低い電力が３色光源１３１に供給され、これにより得られる第１単色ライン画像データＤａ１，Ｄａ２，Ｄａ３および第２単色ライン画像データＤｂ１，Ｄｂ２，Ｄｂ３の画素値の平均値である第２平均画素値が算出される。
【０１２１】
そして、前記第２平均画素値が、前記第１平均画素値の２分の１になるように、３色光源１３１に供給される電力が調整される。このようにして調整された電力が、前記第１光源電力として設定される。
【０１２２】
本応用例によれば、前記動作モードが前記標準解像度モードである場合において、センサーの感度の低下を招くことなく、３色光源１３１の消費電力を低減できる。
【０１２３】
なお、本発明に係る画像読取装置および画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１２４】
１        ：画像読取装置
２        ：画像形成装置
３        ：シート搬送部
４        ：画像形成部
５        ：定着部
８        ：制御部
９        ：シート
１０      ：画像処理装置
１１      ：画像読取部
１２      ：カバー部
１３      ：イメージセンサーモジュール
１６      ：プラテンガラス
３０      ：搬送路
８０      ：操作表示部
８１      ：ＵＩ制御部
８２      ：走査制御部
８３      ：発光制御部
８４      ：イメージセンサー制御部
８５      ：画像処理部
８６      ：画像形成制御部
９０      ：原稿
１１０    ：光学系移動機構
１２１    ：原稿供給トレイ
１２２    ：ピックアップローラー
１２３    ：搬送ローラー
１２４    ：原稿排出トレイ
１３１    ：３色光源
１３１Ｂ  ：青光源
１３１Ｇ  ：緑光源
１３１Ｒ  ：赤光源
１３２    ：レンズ
１３３    ：イメージセンサー
１３３ａ  ：第１イメージセンサー
１３３ｂ  ：第２イメージセンサー
１６０    ：コンタクトガラス板
８５１    ：遅延処理部
８５２    ：データ選択部
８５３    ：データ合成部
１２００  ：原稿搬送路
Ａ０      ：読取領域
Ａ１      ：第１読取領域
Ａ２      ：第２読取領域
ＡＬ０    ：露光領域
Ｄ１      ：赤ライン画像データ（単色ライン画像データ）
Ｄ２      ：緑ライン画像データ（単色ライン画像データ）
Ｄ３      ：青ライン画像データ（単色ライン画像データ）
Ｄａ１    ：第１赤ライン画像データ（第１単色ライン画像データ）
Ｄａ２    ：第１緑ライン画像データ（第１単色ライン画像データ）
Ｄａ３    ：第１青ライン画像データ（第１単色ライン画像データ）
Ｄｂ１    ：第２赤ライン画像データ（第２単色ライン画像データ）
Ｄｂ２    ：第２緑ライン画像データ（第２単色ライン画像データ）
Ｄｂ３    ：第２青ライン画像データ（第２単色ライン画像データ）
Ｄｘ０    ：読取データ
Ｄｘ１    ：読取赤ラインデータ（読取単色ラインデータ）
Ｄｘ２    ：読取緑ラインデータ（読取単色ラインデータ）
Ｄｘ３    ：読取青ラインデータ（読取単色ラインデータ）
Ｌ１      ：標準カラーライン領域
Ｍｄ０    ：モード信号
Ｐ０      ：標準単色ラインピッチ
Ｐ１      ：標準カラーラインピッチ
Ｐ２      ：２倍カラーラインピッチ
Ｑ０      ：固定読取位置
Ｒ１      ：主走査方向
Ｒ２      ：副走査方向
ｇ０      ：細線画像
【図１】
0006481626.tif 000002
【図２】
0006481626.tif 000003
【図３】
0006481626.tif 000004
【図４】
0006481626.tif 000005
【図５】
0006481626.tif 000006
【図６】
0006481626.tif 000007
【図７】
0006481626.tif 000008
【図８】
0006481626.tif 000009
【図９】
0006481626.tif 000010
【図１０】
0006481626.tif 000011